(57)【特許請求の範囲】
【請求項１】
イオンに選択的に反応する検知部を有するイオン電極と、
測定対象である対象液体に接液する液絡部を有し、前記検知部と前記液絡部とを前記対象液体の液滴によって導通可能な比較電極と、
を備え、
排尿の際において前記比較電極と前記イオン電極を対向するように配置して前記検知部と前記液絡部の間に形成した空間に測定対象者が排尿した尿が直接触れて前記対象液体としての尿の液滴が形成されるセンサ。
【請求項２】
異なるイオンに選択的に反応する複数の前記イオン電極を備える請求項１に記載のセンサ。
【請求項３】
前記比較電極は、細長に形成され、
前記イオン電極は、細長に形成される請求項１又は２に記載のセンサ。
【請求項４】
前記比較電極及び前記イオン電極を支持する基部を更に備え、
前記比較電極の前記液絡部は、前記検知部よりも前記基部側に配置される請求項１から３までの何れかに記載のセンサ。
【請求項５】
板状に形成されると共に前記比較電極及び前記イオン電極の少なくとも何れか一方に沿うように配置される補助部を更に備える請求項１から４までの何れかに記載のセンサ。
【請求項６】
請求項１から５までの何れかに記載のセンサと、
基端側が便器に取り付けられると共に先端側が前記センサに接続される支持部と、
を備える便器取り付け用尿センサ。
【請求項７】
請求項１から５までの何れかに記載のセンサと、
便器本体及び該便器本体に取り付けられる便座を有する便器と、
基端側が前記便座の下方に取り付けられると共に先端側が前記センサに接続される支持部と、
を備える便器装置。
【請求項８】
前記センサが、平面視において、前記便座の下方で前記便座に重なる待機位置と、前記便器本体の内側で前記便座と重ならない露出位置と、の間で移動可能に前記支持部を駆動する駆動部を更に備える請求項７に記載の便器装置。
【発明の詳細な説明】
【技術分野】
【０００１】
本発明は、イオン電極と比較電極とを備えるセンサに関する。
【背景技術】
【０００２】
尿中の成分を測定する尿センサ付き便器装置において、便器本体に取り付けられるアーム部の先端に採尿容器を配置し、尿の成分を測定する構成が従来から知られている。この種の尿センサ付き便器装置を開示するものとして、特許文献１、特許文献２及び特許文献３がある。また、特許文献４には、便器のボール面に尿溜り部を形成し、この尿溜り部に溜まった尿を測定対象とする構成が開示されている。
【先行技術文献】
【特許文献】
【０００３】
【特許文献１】特開平７−２３４２１８号公報
【特許文献２】特開２００４−２７９２１９号公報
【特許文献３】特開２０００−８８８４５号公報
【特許文献４】特開平５−２６４５４１号公報
【発明の概要】
【発明が解決しようとする課題】
【０００４】
採尿容器に尿を採取する構成や便器のボール面に尿溜り部に尿を溜める構成は、いずれも、その測定時に一定量の尿を溜める必要があるため、採尿容器又は尿溜り部に十分な尿を溜めることができなかった場合、測定が適切に行われないおそれがある。また、測定後には、尿を貯留していた部分を洗浄する必要があるが、アーム部の先端に採尿容器を配置する構成や、ボール面に尿溜り部を設ける構成は、測定後の尿が残留することがあり、洗浄作業を行いにくかった。このように、従来のセンサには、測定対象の液体の量の確保及びメンテナンス性の向上という観点から改善の余地があった。
【０００５】
本発明は、測定に必要な液量を抑制しつつ、洗浄等のメンテナンスも容易に行うことができるセンサを提供することを目的とする。
【課題を解決するための手段】
【０００６】
本発明は、イオンに選択的に反応する検知部（例えば、後述の第１検知部４２、第２検知部５２）を有するイオン電極（例えば、後述の第１イオン電極４０、第２イオン電極５０）と、測定対象である対象液体に接液する液絡部（例えば、後述の液絡部６２）を有し、前記検知部と前記液絡部とを前記対象液体の液滴によって導通可能な比較電極（例えば、後述の比較電極６０）と、を備えるセンサに関する。
【０００７】
また、センサは、異なるイオンに選択的に反応する複数の前記イオン電極（例えば、後述の第１イオン電極４０及び第２イオン電極５０）を備えることが好ましい。
【０００８】
また、センサは、前記比較電極は、細長に形成され、前記イオン電極は、細長に形成されることが好ましい。
【０００９】
また、センサは、前記比較電極及び前記イオン電極を支持する基部(例えば、後述の基部３１)を更に備え、前記比較電極の前記液絡部は、前記検知部よりも前記基部側に配置されることが好ましい。
【００１０】
また、センサは、板状に形成されると共に前記比較電極及び前記イオン電極の少なくとも何れか一方に沿うように配置される補助部（例えば、後述の補助プレート３５）を更に備えることが好ましい。
【００１１】
また、本発明は、前記センサ（例えば、後述の尿センサユニット３０）と、基端側が便器（例えば、後述の便器１０）に取り付けられると共に先端側が前記センサに接続される支持部（例えば、後述のアーム部２１）と、を備える便器取付け用尿センサに関する。
【００１２】
また、本発明は、前記センサ（例えば、後述の尿センサユニット３０）と、便器本体（例えば、後述の便器本体１１）及び該便器本体に取り付けられる便座（例えば、後述の便座１２）を有する便器（例えば、後述の便器１０）と、基端側が前記便座の下方に取り付けられると共に先端側が前記センサに接続される支持部（例えば、後述のアーム部２１）と、を備える便器装置に関する。
【００１３】
また、前記センサが、平面視において、前記便座の下方で前記便座に重なる待機位置と、前記便器本体の内側で前記便座と重ならない露出位置と、の間で移動可能に前記支持部を駆動する駆動部（例えば、後述の駆動モータ２２）を更に備えることが好ましい。
【発明の効果】
【００１４】
本発明のセンサによれば、測定対象の液体を通過させるだけで液滴を形成して測定を行うことができるので、必要な液量を効果的に低減できる。また、液体を溜める必要もないので、センサの洗浄も容易に行うことができる。
【図面の簡単な説明】
【００１５】
【図１】本発明の一実施形態である尿センサ付き便器装置を示す斜視図である。
【図２】露出位置と待機位置の尿センサユニットを示す平面図である。
【図３】尿センサユニットを示す斜視図である。
【図４】尿センサユニットを先端側から見た正面図である。
【図５】第２イオン電極から第１イオン電極の内側を見たときの尿センサユニットの位置関係を模式的に示す模式図である。
【図６】液滴が形成された尿センサユニットの様子を模式的に示す正面図である。
【図７】液滴が形成された尿センサユニットの様子を模式的に示す平面図である。
【図８】液滴が形成された変形例の尿センサユニットの様子を模式的に示す正面図である。
【図９】液滴が形成された変形例の尿センサユニットの様子を模式的に示す平面図である。
【発明を実施するための形態】
【００１６】
以下、本発明のセンサ、尿センサ及び便器装置の好ましい一実施形態について、図面を参照しながら説明する。なお、以下の説明で用いる液滴とは、液体のまとまったかたまりを意味し、液膜等も含むものである。
まず、本発明の一実施形態に係る尿センサ付き便器装置１００の全体構成について説明する。図１は、本発明の一実施形態である尿センサ付き便器装置１００を示す斜視図である。図２は、露出位置と待機位置の尿センサユニット３０を示す平面図である。
【００１７】
本実施形態の尿センサ付き便器装置１００は、図１に示すように、便器１０と、尿センサ装置２０と、を備える。
【００１８】
便器１０は、便器本体１１と、便座１２と、便蓋１３と、を備える。便器本体１１は、便鉢１８を有する。便座１２及び便蓋１３は、便器本体１１の上部に該便器本体１１に対して開閉可能に取り付けられる。
【００１９】
尿センサ装置２０は、尿センサ付き便器装置１００を使用する測定対象者の尿中の特定成分を測定するための検出手段であり、イオン選択性電極法を用いるものである。尿センサ装置２０は、図略の分析装置に電気的に接続されており、該分析装置で尿成分の分析が行われる。分析装置は、測定対象のイオン電極での電位と比較電極での電位との電位差を計測し、この計測結果に基づいてイオン濃度を測定する構成のものである。以下、尿センサ装置２０の詳細な構成について説明する。
【００２０】
図２に示すように、尿センサ装置２０は、支持部としてのアーム部２１と、センサとしての尿センサユニット３０と、駆動部としての駆動モータ２２と、を備える。
【００２１】
アーム部２１は、尿センサユニット３０を支持するためのものであり、弓型に湾曲するように構成される。アーム部２１は、その基端側が便器本体１１に取り付けられる。アーム部２１の先端側には、尿センサユニット３０が取り付けられている。
【００２２】
尿センサユニット３０は、尿中の成分を測定するセンサ部分であり、アーム部２１によって支持されている。アーム部２１の内部には、尿センサユニット３０と前述の分析装置を電気的に接続するための配線が収容されており、尿センサユニット３０の測定結果は分析装置に送られる。
【００２３】
駆動モータ２２は、アーム部２１を回動させるための駆動部である。駆動モータ２２は、便座１２に取り付けられると共に、アーム部２１の基端側に接続されている。この駆動モータ２２によって、アーム部２１は、その基端側を回動中心として先端側に支持される尿センサユニット３０を移動させることができるようになっている。
【００２４】
駆動モータ２２によって、尿センサユニット３０は、待機位置と露出位置との間で移動可能になっている。図２に示すように、待機位置は、平面視において、尿センサユニット３０が閉じた状態の便座１２によって隠れた状態となる破線で示す位置である。露出位置は、平面視において、尿センサユニット３０が便座１２と重ならない位置であって、便鉢１８の上方の位置である。この露出位置は、測定対象者が排泄する尿の軌道に尿センサユニット３０が重なるように、その位置が設定されている。アーム部２１が駆動モータ２２によって基端側を回転中心として回動することによって、尿センサユニット３０が露出位置と待機位置の間を移動する。
【００２５】
本実施形態の駆動モータ２２は、図略の操作ユニットに電気的に接続されている。駆動モータ２２は、操作ユニットからの指示信号に基づいてアーム部２１を回動させて尿センサユニット３０を待機位置から露出位置又は露出位置から待機位置に移動させる。
【００２６】
次に、尿センサユニット３０の詳細な構成について説明する。図３は、尿センサユニット３０を示す斜視図である。図４は、尿センサユニット３０を先端側から見た正面図である。図５は、第２イオン電極５０から第１イオン電極４０の内側を見たときの尿センサユニットの位置関係を模式的に示す模式図である。図６は、液滴が形成された尿センサユニット３０の様子を模式的に示す正面図である。図７は、液滴が形成された尿センサユニット３０の様子を模式的に示す平面図である。
【００２７】
図３に示すように、尿センサユニット３０は、基部３１と、比較電極６０と、第１イオン電極４０と、第２イオン電極５０と、補助プレート３５と、を備える。以下、尿センサユニット３０の各構成について説明する。
【００２８】
基部３１は、比較電極６０、第１イオン電極４０、第２イオン電極５０及び補助プレート３５を支持するためのものである。本実施形態の基部３１は、円柱状に構成される本体部３２と、該本体部３２の先端に形成されるフランジ部３３と、により構成される。本実施形態では、本体部３２及びフランジ部３３が、非導電性の樹脂により一体的に成形されている。
【００２９】
比較電極６０は、標準電位を測定するためのものである。比較電極６０は、細長状に形成され、比較電極本体部６１と、液絡部６２と、を備える。
【００３０】
比較電極本体部６１は、非導電性の樹脂により、中空部分を有する円筒状に形成される。比較電極本体部６１は、その基端側が基部３１のフランジ部３３により支持される。図４に示すように、比較電極本体部６１は、フランジ部３３の中心に配置されている。この比較電極本体部６１の中空部分には内部電極が支持されると共に、電解質ゲルが充填されている。
【００３１】
液絡部６２は、多孔質セラミックにより円柱状に形成される。液絡部６２は、比較電極本体部６１の開口部に栓のように配置されている。液絡部６２には、比較電極本体部６１の内部と外部を通じる無数の微小な孔が形成されている。比較電極本体部６１の内部に充填される電解質ゲルがこれらの無数の孔からごく僅かに漏れ出ている。液絡部６２から漏れ出る電解質ゲルが後述の液滴に接液することにより、比較電極６０と第１イオン電極４０及び第２イオン電極５０が導通可能になっている。
【００３２】
第１イオン電極４０は、イオン電極本体部４１と、第１検知部４２と、を備える。イオン電極本体部４１は、非導電性の樹脂により細長の板状に成形されている。イオン電極本体部４１は、その長手方向が比較電極６０の長手方向と平行になるように、基部３１のフランジ部３３により支持される。図５に示すように、イオン電極本体部４１の内部には、導線４３が収容されており、この導線４３は第１検知部４２に接続されると共に、アーム部２１を介して前述の分析装置まで電気的に接続される。
【００３３】
第１検知部４２は、Ｎａ＋等のイオンを測定対象とするイオン選択膜で構成される。第１検知部４２は、イオン電極本体部４１の先端側であって、比較電極６０を向く平面部分に配置されている。本実施形態では、第１検知部４２は、矩形の板状に形成されており、イオン電極本体部４１の先端側に埋め込まれるようにして配置されている。
【００３４】
第２イオン電極５０は、イオン電極本体部５１と、第２検知部５２と、を備える。イオン電極本体部５１は、第１イオン電極４０と対向するように基部３１のフランジ部３３に支持される。第２イオン電極５０が備えるイオン電極本体部５１は、第１イオン電極４０が備えるイオン電極本体部４１と同様に構成され、その内部に収容される導線によって第２検知部５２と分析装置が電気的に接続されている。
【００３５】
第２検知部５２は、Ｋ＋等の第１検知部４２で検知されるイオンとは異なるイオンを測定対象とするイオン選択膜で構成される。この第２検知部５２は、イオン電極本体部５１の先端側であって、比較電極６０を向く平面部分に配置されており、第１検知部４２と対向している。また、第２検知部５２は、第１検知部４２と同様に、矩形の板状に形成されており、イオン電極本体部５１の先端側に埋め込まれるようにして配置されている。
【００３６】
補助プレート３５は、非導電性の樹脂により細長の板状に形成される。この非導電性の樹脂に撥水性のものを採用することもできるが、親水性のものを採用する方が好ましい。図４に示すように、補助プレート３５は、比較電極６０に対向する平面部分が円弧状に湾曲している。これにより、補助プレート３５の上面（比較電極６０と対向する面）で液滴を維持し易くなっている。補助プレート３５は、その長手方向の長さが、第１イオン電極４０及び第２イオン電極５０よりも短く、比較電極６０よりも長くなるように構成されている。
【００３７】
第１イオン電極４０、第２イオン電極５０、比較電極６０及び補助プレート３５は、それぞれの長手方向が平行になるように、基部３１によって支持されている。
【００３８】
第１イオン電極４０と第２イオン電極５０は、液滴を良好に形成できるように近接配置されている。より具体的には、第１イオン電極４０と第２イオン電極５０は、対向する平面部分の間が１ｍｍ以上１５ｍｍ以下になるように基部３１に支持されている。また、比較電極６０は、その長手方向において、液絡部６２から第１検知部４２及び第２検知部５２までの間が３０ｍｍ以下になるように構成される。このように、第１イオン電極４０、第２イオン電極５０及び比較電極６０を適切に近接配置することで、第１イオン電極４０と第２イオン電極５０と比較電極６０との間で液滴を良好に形成可能となっている。
【００３９】
次に、本実施形態の尿センサ付き便器装置１００によって、測定対象者の尿中の特定成分を測定する方法について説明する。測定対象者は、まず、図２に示すように、操作ユニットを介して駆動モータ２２を駆動させて、尿センサユニット３０を待機位置から露出位置まで移動させる。更に、この露出位置では、補助プレート３５は第１イオン電極４０及び第２イオン電極５０の下方に位置する。なお、露出位置は、測定対象者に応じて、その位置を変更できるように構成してもよい。例えば、男性と女性での放尿時の尿の軌道の違いを考慮し、男性用の露出位置と女性用の露出位置とを操作ユニットで選択できるように構成したり、測定対象者がその位置を調整できるように構成したりすることができる。液滴を良好に形成する観点から、露出位置では、第１イオン電極４０、第２イオン電極５０及び比較電極６０の長手方向の水平方向に対する角度は、０度からプラスマイナス４５度の範囲になることが好ましい。なお、この角度範囲に限定されるものではなく、露出位置において、尿センサユニット３０は、液滴を形成できる適宜の位置に配置することができる。尿センサユニット３０の配置の仕方によって、補助プレート３５の位置は、第１イオン電極４０、第２イオン電極５０及び比較電極６０の側方に位置する場合もあるし、上方に位置する場合もある。
【００４０】
測定対象者は、尿センサユニット３０が露出位置にある状態で便座１２に座り、排尿を行う。上述したように、尿センサユニット３０は、露出位置において、尿の軌道に重なる位置に配置されており、測定対象者が排泄した尿は、尿センサユニット３０に接液する。本実施形態では、尿センサユニット３０は、その先端で尿に触れるように露出位置が設定されており、尿センサユニット３０の先端に触れた尿のほとんどはそのまま尿センサユニット３０を通過して便鉢１８に落ち、尿センサユニット３０の先端に触れた尿の一部によって尿センサユニット３０に液滴が形成される。図６及び図７に示すように、第１イオン電極４０、第２イオン電極５０及び補助プレート３５によって形成される空間に、尿の液滴が形成される。上述したように、補助プレート３５の先端は、比較電極６０よりも長くなるように構成されているので、比較電極６０の液絡部６２と、第１イオン電極４０の先端側に配置される第１検知部４２及び第２イオン電極５０の先端側に配置される第２検知部５２と、の間に良好に液滴を形成することができる。また、補助プレート３５は、第１イオン電極４０及び第２イオン電極５０よりも短く構成されているので、第１イオン電極４０、第２イオン電極５０及び補助プレート３５によって形成される空間から余分な尿を下に逃がす効果も有している。
【００４１】
第１イオン電極４０、第２イオン電極５０及び補助プレート３５の間に形成された液滴によって、比較電極６０の液絡部６２と、第１イオン電極４０の第１検知部４２と、第２イオン電極５０の第２検知部５２と、が導通し、それぞれの電位が測定される。これらの電位差に基づいて特定成分の濃度が分析ユニットで判定され、測定対象者の尿中の成分が測定される。
【００４２】
以上、説明した本実施形態の尿センサユニット３０によれば以下の効果を奏する。
本実施形態の尿センサユニット３０は、イオンに選択的に反応する第１検知部４２を有する第１イオン電極４０と、第１検知部４２で検知されるイオンとは異なるイオンに反応する第２検知部５２を有する第２イオン電極５０と、測定対象である尿に接液する液絡部６２を有し、第１検知部４２及び第２検知部５２と液絡部６２とを尿の液滴によって導通可能な位置に配置される比較電極６０と、を備える。これにより、液滴によって第１検知部４２及び第２検知部５２と液絡部６２を導通させて特定成分の濃度を測定することができる。対象液体を通過させるだけでも液滴を形成することができるので、対象液体である尿の必要量を最小限に抑えることができると共に、尿を溜める構造を備える必要がなく、洗浄等のメンテナンスも行い易い尿センサユニット３０をシンプルに構成できる。
【００４３】
また、本実施形態の尿センサユニット３０は、異なるイオンに選択的に反応する第１イオン電極４０及び第２イオン電極５０を備える。これにより、一度の測定で複数種類の成分を測定できる。
【００４４】
また、本実施形態の尿センサユニット３０は、比較電極６０は、細長に形成され、第１イオン電極４０及び第２イオン電極５０は細長に形成される。これにより、細長に形成される比較電極６０、第１イオン電極４０及び第２イオン電極５０によって液滴を良好に形成することができる。
【００４５】
また、本実施形態の尿センサユニット３０は、第１イオン電極４０及び第２イオン電極５０を支持する基部３１を更に備え、比較電極６０の液絡部６２は、第１検知部４２及び第２検知部５２よりも基部３１側に配置される。これにより、比較電極６０の液絡部６２が第１検知部４２及び第２検知部５２より基部３１側に位置しているので、対象液体である尿を尿センサユニット３０で不要に滞留させずに通過させることができる。
【００４６】
また、本実施形態の尿センサユニット３０は、板状に形成されると共に比較電極６０、第１イオン電極４０及び第２イオン電極５０に沿うように配置される補助プレート３５を更に備える。これにより、補助プレート３５、第１イオン電極４０及び第２イオン電極５０によって囲い込まれた空間に液滴を良好に形成することができる。また、本実施形態では、補助プレート３５は、第１イオン電極４０及び第２イオン電極５０よりも短くなっているので、その先端側から測定に不要な尿を逃がすことができる。
【００４７】
また、本実施形態の尿センサ付き便器装置１００は、尿センサユニット３０と、便器本体１１及び該便器本体１１に取り付けられる便座１２を有する便器１０と、基端側が便器１０に取り付けられると共に先端側が尿センサユニット３０に接続されるアーム部２１と、を備える。本実施形態の尿センサユニット３０は、液滴を形成して尿を測定できるので、尿を貯留するための構造を便器装置１００に設ける必要がなく、既存の便器１０にも容易に取り付けることができる。また、測定時に尿を貯留する必要がないので、洗浄も容易に行うことができ、メンテナンス性も高い。
【００４８】
また、本実施形態の尿センサ付き便器装置１００は、尿センサユニット３０が、平面視において、便座１２の下方で便座１２に重なる待機位置と、便器本体１１の内側で便座１２と重ならない露出位置と、の間で移動可能にアーム部２１を駆動する駆動モータ２２を更に備える。これにより、測定しないときは、尿センサユニット３０を待機位置に逃がして、尿センサユニット３０に排出物が不要に接触しないようにすることができる。
【００４９】
以上、本発明の尿センサ付き便器装置１００の好ましい一実施形態について説明したが、本発明は、上述した実施形態に制限されるものではなく、適宜変更が可能である。
【００５０】
上記実施形態では、第１イオン電極４０と、第２イオン電極５０と、比較電極６０と、補助プレート３５と、の間に液滴が形成される構成であるが、補助部としての補助プレート３５を省略する構成とすることもできる。この構成の一例を図８及び図９を参照して説明する。図８は、液滴が形成された変形例の尿センサユニット１３０の様子を模式的に示す正面図である。図９は、液滴が形成された変形例の尿センサユニット１３０の様子を模式的に示す平面図である。なお、この変形例の尿センサユニット１３０は、補助プレート３５を備えていない点以外は上記実施形態の尿センサユニット３０の構成と同様の構成なのでその詳細な説明を省略する。図８及び図９に示すように、補助部（補助プレート３５）がない構成であっても、尿センサユニット１３０は、第１イオン電極４０と、第２イオン電極５０と、比較電極６０と、の間で対象液体の液滴を形成し、導通させることで対象液体を測定することができる。このように、本発明は、イオン電極と比較電極に液滴ができるように両者（イオン電極及び比較電極）を配置する場合、イオン電極と比較電極に補助部を加えることによって液滴が形成される場合の何れの場合も含むのである。
【００５１】
上記実施形態では、尿センサユニット３０は、第１イオン電極４０及び第２イオン電極５０の２種類のイオン電極を備える構成であるが、イオン電極を１つにした構成や３種類以上のイオン電極を備える構成に変更することができる。例えば、イオン電極を１つにした構成としては、比較電極の液絡部とイオン電極の検知部とが対向するようにイオン電極と比較電極を配置して液絡部と検知部との間に液滴を形成する構成とすることもできる。また、３種類のイオン電極を備える構成としては、上記実施形態の補助プレート３５の位置に、第３イオン電極を配置する構成とすることもできる。また、上記実施形態では、補助プレート３５は、その長手方向の長さが、第１イオン電極４０及び第２イオン電極５０よりも短く、比較電極６０よりも長くなるように構成されているが、その長手方向の長さを、第１イオン電極４０及び第２イオン電極５０よりも長くしたり、比較電極６０よりも短くしたりすることもできる。また、第１イオン電極４０及び第２イオン電極５０の何れか一方が他方よりも長くなるように構成してもよい。このように、比較電極６０、第１イオン電極４０、第２イオン電極５０及び補助プレート３５の長さは、上記実施形態の構成に制限されるわけではなく、適宜変更することができる。また、補助プレート３５は、イオン電極及び比較電極の少なくとも何れか一方に沿って配置されればよく、イオン電極のみに沿うように配置したり、比較電極のみに沿うように配置したりすることができる。
【００５２】
上記実施形態では、尿センサユニット３０は、第１イオン電極４０及び第２イオン電極５０を支持する基部３１を備える構成であるが、液滴を形成するようにイオン電極及び比較電極を配置するための構成は適宜変更することができる。例えば、基部が、比較電極の長手方向とイオン電極の長手方向が直交するように比較電極及びイオン電極を支持する構成とすることができる。また、上記実施系形態では、基部３１は、円柱状に構成されているが、この基部を多角柱、円錐、角錐、板状等の別の形状に変更することもできる。また、液滴を形成可能な網目状の部材にイオン電極及び比較電極を配置する構成とすることもできる。この場合、液滴が形成される部分にイオン電極及び比較電極を対向又は隣接配置し、その検知部と液絡部を導通させることで、対象液体の成分を測定することができる。また、比較電極及びイオン電極を網目状に配置し、対象液体の測定を行うことも可能である。
【００５３】
上記実施形態では、支持部をアーム部２１によって構成したが、支持部の構成や駆動部の構成及びその取付位置は、適宜変更することができる。上記実施形態の構成に代えて尿センサユニットを支持する支持部が待機位置と露出位置との間を直線的に移動するような構成とすることもできる。例えば、前後方向に摺動可能に構成される支持部や伸縮可能に構成される支持部によって待機位置と露出位置との間で尿センサを移動させてもよい。また、便座と便器本体の間にスペーサを配置し、このスペーサにアーム部及び駆動モータを取り付けることもできる。
【００５４】
上記実施形態では、液絡部６２には多孔質のセラミックで構成されるものを採用したが、液絡できる構成であれば適宜変更することができる。例えば、ピンホール方式やスリーブ方式等を液絡部の構成として採用することができる。また、液絡部６２の位置も、比較電極６０の先端側に限定されるわけではなく、比較電極６０の外周面に配置する構成とすることもできる。
【００５５】
上記実施形態では、尿センサユニット３０は便器１０に用いられる構成であるが、便器に取り付ける構成の他にも本発明を適用できる。例えば、センサユニットが把持部を備え、測定対象者が把持部を持って自ら尿を測定するような構成とすることもできる。更に、対象液体が尿に限定されるわけではなく、他の液体測定にも本発明を適用することができる。
【００５６】
このように、イオン電極の検知部と比較電極の液絡部との間に測定対象の液体の液滴を形成できる構成であれば、イオン電極の数やイオン電極と比較電極の配置関係は、適宜変更することができる。
【符号の説明】
【００５７】
１０  便器
１１  便器本体
１２  便座
２１  アーム部（支持部）
２２  駆動モータ（駆動部）
３０  尿センサユニット（センサ）
３１  基部
３５  補助プレート（補助部）
４０  第１イオン電極（イオン電極）
４２  第１検知部（検知部）
５０  第２イオン電極（イオン電極）
５２  第２検知部（検知部）
６０  比較電極
６２  液絡部
１００  尿センサ付き便器装置（便器装置）
【図１】
0006338939.tif 000002
【図２】
0006338939.tif 000003
【図３】
0006338939.tif 000004
【図４】
0006338939.tif 000005
【図５】
0006338939.tif 000006
【図６】
0006338939.tif 000007
【図７】
0006338939.tif 000008
【図８】
0006338939.tif 000009
【図９】
0006338939.tif 000010